(57)【要約】【課題】各種ガラスの違いを容易に把握して印象付けるための説明をすることができ、しかもスムーズに案内することができるガラス割り体験装置を提供する。【解決手段】透明のケーシング１０内に、異なった種類のガラス片Ａをそれぞれ固定する固定部２１を有し、この固定部２１が固定位置と展示位置との間を移動するようになされたガラス固定装置２と、このガラス固定装置２の展示位置の下に設けられ、展示位置で破壊された各ガラス片Ａを受けて回収するようになされた回収容器３と、待機位置からガラス固定装置２の展示位置に移動し、手の先端部に設けた破壊片によって、固定部２１に固定された各ガラス片Ａに均等な衝撃を加えて順に破壊する人間型ロボット４とを具備したガラス割り体験装置１である。【選択図】  図１
2010139474.tif 000002
【特許請求の範囲】
【請求項１】
透明のケーシング内に、
異なった種類のガラス片をそれぞれ固定する固定部を有し、この固定部が固定位置と展示位置との間を移動するようになされたガラス固定装置と、
このガラス固定装置の展示位置の下に設けられ、展示位置で破壊された各ガラス片を受けて回収するようになされた回収容器と、
待機位置からガラス固定装置の展示位置に移動し、手の先端部に設けた破壊片によって、固定部に固定された各ガラス片に均等な衝撃を加えて順に破壊する人間型ロボットとを具備し、
ガラス固定装置の固定位置で各固定部にガラス片を固定した後、作動させることで、固定部が展示位置に移動し、その後、人間型ロボットが待機位置から展示位置に移動して固定部のガラス片にカラテの試し割りのような動作で順番に衝撃を加え、破壊されたガラス片を回収容器で回収するようになされたことを特徴とするガラス割り体験装置。
【請求項２】
作動を開始してから最後のガラス片に衝撃を加えて破壊されたガラス片を回収装置で回収するまでの時間と、各固定部でガラス片に衝撃を加えるのに要する時間とをあらかじめ設定できるようになされた請求項１記載のガラス割り体験装置。
【発明の詳細な説明】
【技術分野】
【０００１】
本発明は、ガラスの性能を、そのガラスを割ってもらうことで体験するようになされた装置に関するものである。
【背景技術】
【０００２】
一般に、住宅建物の窓に使用されているガラスとしては、合わせガラス、強化ガラス、網入りガラスなどの各種ガラスが使用される。これらのガラスの違いは、住宅建物のカタログに紹介したり、展示住宅に訪れた購入予定者に、口頭で説明したりしていた。
【０００３】
しかし、実際の窓に使用されているガラスは、外観上は略同じであるため、その性能の違いは、カタログに紹介したり、口頭で説明したりしても、実感することができない。
【０００４】
そこで、従来より、このようなガラスの違いを容易に把握でき、その違いを理解することができるものとして、実際の窓に使用されているガラスを、展示室内にセットし、ハンマーに連動するレバーを操作することによって、このハンマーをガラスに衝突させ、ガラスの割れ具合を体感することができるようになされた体験装置を提案している（例えば、特許文献１参照）。
【特許文献１】特開平１１−２９５２０１号公報
【発明の開示】
【発明が解決しようとする課題】
【０００５】
しかし、上記従来の体験装置の場合、その都度ガラスを入れ替えてセッティングするため、時間がかかってしまい煩わしくなるといった不都合を生じる。また、体験者側も一枚ガラスを割る毎に入れ替え作業に付き合わなければならず、退屈してしまうといった不都合を生じる。
【０００６】
また、レバー操作でハンマーをガラスに衝突させるように構成されているが、常に同じ強度でレバーを操作することはできないので、各種ガラス毎の割れ具合を正しく比較することができないといった不都合を生じる。
【０００７】
さらに、この体験装置でガラスの割れを体験してもらっても、それを解説する担当者は、次のガラスのセッティングに追われて充分に説明することができないので、体験を通して楽しむことが主となってしまい各種ガラスの相違を充分に理解してもらうことができないといった不都合を生じることとなる。
【０００８】
本発明は係る実情に鑑みてなされたものであって、各種ガラスの違いを容易に把握して印象付けるための説明をすることができ、しかもスムーズに案内することができるガラス割り体験装置を提供することを目的としている。
【課題を解決するための手段】
【０００９】
上記課題を解決するための本発明のガラス割り体験装置は、透明のケーシング内に、異なった種類のガラス片をそれぞれ固定する固定部を有し、この固定部が固定位置と展示位置との間を移動するようになされたガラス固定装置と、このガラス固定装置の展示位置の下に設けられ、展示位置で破壊されたガラス片を受けて回収するようになされた回収容器と、待機位置からガラス固定装置の展示位置に移動し、手の先端部に設けた破壊片によって、固定部に固定されたガラス片に均等な衝撃を加えて順に破壊する人間型ロボットとを具備し、ガラス固定装置の固定位置で各固定部にガラス片を固定した後、作動させることで、固定部が展示位置に移動し、その後、人間型ロボットが待機位置から展示位置に移動して固定部のガラス片にカラテの試し割りのような動作で順番に衝撃を加え、破壊されたガラス片を回収容器で回収するようになされたものである。
【００１０】
また、上記ガラス割り体験装置において、作動を開始してから最後のガラス片に衝撃を加えて破壊されたガラス片を回収装置で回収するまでの時間と、各固定部でガラス片に衝撃を加えるのに要する時間とをあらかじめ設定できるようになされたものである。
【発明の効果】
【００１１】
以上述べたように、本発明によれば、ガラス固定装置の固定位置で各固定部にガラス片を固定した後は、自動で各固定部に固定されたガラス片に衝撃を加えて行くので、その様子を見せながら、各種ガラスの違いを解説することができる。また、人間型ロボットによってカラテの試し割りのような動作で順番に衝撃を加えるので、見学者の気を引き付けて印象付けることができる。
【００１２】
しかも、あらかじめ解説する時間に合わせて動きをセッテングしておくことで、解説する時間が足りなかったり余ったりせずスムーズに解説することができる。
【発明を実施するための最良の形態】
【００１３】
以下、本発明の実施の形態を図面を参照して説明する。
【００１４】
図１および図２は、ガラス割り体験装置１の全体構成の概略を示している。
【００１５】
すなわち、このガラス割り体験装置１は、ケーシング１０内に、ガラス固定装置２と、回収容器３と、人間型ロボット４とを具備して構成されている。
【００１６】
ガラス固定装置２は、横並びに３箇所の開口部２０を有する固定枠２１が、この固定枠２１の両端部に設けられたレール部２２に沿って移動できるように構成されている。移動基端部がガラス片Ａの固定位置となされ、移動先端部がガラス片Ａの展示位置となされている。
【００１７】
固定枠２１は、前面枠２１ａと背面枠２１ｂとからなり、両者間の間隙は、拡縮可能となされている。背面枠２１ｂの開口部２０の位置の下端には、出没可能となされたピン２１ｃが設けられている。このピン２１ｃが突出し、かつ前面枠２１ａと背面枠２１ｂとの間に充分な間隙が形成された状態で、各開口部２０の位置の上側から前面枠２１ａと背面枠２１ｂとの間隙に、ガラス片Ａを差し込むことで、このピン２１ｃにガラス片Ａが支持される。これによって、各ガラス片Ａを開口部２０の位置に位置決めした後、前面枠２１ａと背面枠２１ｂとの間隙が縮まることで、各ガラス片Ａは、固定枠２１に固定できるようになされている。
【００１８】
このガラス固定装置２は、ケーシング１０周辺の固定位置で固定枠２１にガラス片Ａを固定した後、ケーシング１０内の展示位置へと移動するようになされている。
【００１９】
また、ガラス片Ａの固定を解除する場合は、突出したピン２１ｃを収納した後、前面枠２１ａと背面枠２１ｂとの間隙を拡げる。すると各開口部２０の位置に固定されていたガラス片Ａは自然落下してその下にある回収容器３に回収されることとなる。
【００２０】
回収容器３は、上記ガラス固定装置２の展示位置の下側に設けられる。この回収容器３は、上面が開口した有底箱型の容器が使用される。この回収容器３は、展示位置で破壊される各ガラス片Ａを受けるためのものであるため、破壊されるガラス片Ａを受けることができる開口を有するものであれば、特にその大きさを限定されるものではない。
【００２１】
人間型ロボット４は、人間を模した形状となされており、台車４１上に設けられている。この台車４１は、ガラス固定装置２の固定枠２１と対向する位置に設けられ、展示位置にあるガラス固定装置２の固定枠２１に対して、離れた位置から接近した位置へと移動し、接近した位置では固定枠２１の面方向に沿って移動できるようになされている。この人間型ロボット４は、台車４１が固定枠２１の面方向に沿って移動する際に、固定枠２１の各開口部２０の位置で、これら開口部２０に固定されたガラス片Ａに衝撃を加えるようになされている。そのため、人間型ロボット４の手の先端には、ガラス片Ａに衝撃を加えるための金属製の破壊片４２が設けられている。この人間型ロボット４は、カラテの試し割りのような動作で手を動かしてガラス片Ａに衝撃を加えるように、あらかじめプログラムされた動作に基づいて作動する。
【００２２】
このようにして構成されるガラス割り体験装置１は、ガラス固定装置２にガラス片Ａを固定するためにスイッチ（図示省略）を押してから以後の動作に要するまで時間は、各パート毎に設定できるようになされている。
【００２３】
例えば、固定位置から展示位置までの移動時間の間に、固定枠２１に固定された各ガラス片Ａの説明をするような場合は、これらガラス片Ａの説明に要する時間をかけて固定位置から展示位置まで移動するように設定される。また、各ガラス片Ａの破壊後、各ガラス片Ａについて説明するような場合は、これら各ガラス片Ａの破壊状態の説明に要する時間をとった後、次の動作に移行するように設定される。
【００２４】
もちろん、各ガラス片Ａを破壊してから各ガラス片Ａについて説明するような場合には、各ガラス片Ａを素早く破壊するように設定することもできる。この動作時間は、あらかじめ設定しておき、変更が必要な場合は、ガラス片Ａの固定前に設定変更することで適宜変更できる。
【００２５】
また、あらかじめ登録しておいた自動音声によって全ての説明を自動解説するものであってもよい。
【００２６】
このガラス割り体験装置１は、住宅購入予定者が訪れる住宅展示棟などの施設内に設置される。
【００２７】
次に、このガラス割り体験装置１の動作について説明する。
【００２８】
まず、図２（ａ）に示すように、見学者をガラス割り体験装置１の場所に案内したら、固定位置にあるガラス固定装置２の固定枠２１の各開口部２０の位置の上側から前面枠２１ａと背面枠２１ｂとの間隙に、ガラス片Ａを差し込む。この際、使用するガラス片Ａの種類は、単板ガラス、網入りガラス、防犯合わせガラスの３種類が用いられる。
【００２９】
各ガラス片Ａをセットしたら、ケーシング１０を閉じ、スタートスイッチ（図示省略）を押す。
【００３０】
すると、図２（ｂ）に示すように、各ガラス片Ａは固定枠２１に固定されて固定位置から展示位置へと移動する。  そして、図２（ｃ）に示すように、人間型ロボット４が展示位置へ移動し、固定枠２１に固定された各ガラス片Ａを、カラテの試し割りの動作で順番に破壊する。この際、各ガラス片Ａの説明、破壊状態の説明は、あらかじめ設定された動作時間内を利用して説明する。なお、この説明を自動音声で説明する場合は、あらかじめスタートスイッチ押す前に自動音声に設定してからスタートスイッチを押す。
【００３１】
破壊後のガラス片Ａは、割れたままで固定枠２１に保持した状態とされる。
【００３２】
説明後は、終了スイッチ（図示省略）を押すと、図２（ｄ）に示すように、ガラス片Ａの固定が解除され、ガラス片Ａは固定枠２１から落下して回収容器３に回収される。その後、固定枠２１は、最初の固定位置へと戻り、次のガラス片Ａをセッティングすることが可能な状態となる。
【００３３】
このように、このガラス割り体験装置１によると、同一動作による３種類のガラス片Ａの割れ方の違いを比較することができる。
【００３４】
また、従来のように、見学者がハンドル操作によってガラス片Ａを割るのではなく、人間型ロボット４によって同一の負荷で破壊するため、安全性が向上するとともに、各ガラス片Ａを比較し易くなる。
【００３５】
また、人間型ロボット４によってカラテの試し割りのような動作でガラス片Ａを割るので、見学者を飽きさせることなくアトラクション性が向上し、しかも、その間を利用して各ガラス片Ａの説明などを行うことができる。
【００３６】
また、ガラス片Ａをセッティングした後は、自動的に作動するため、ガラス片Ａの交換やセッティングに気をとられる煩わしさも無く、見学者への説明に集中することができる。
【００３７】
なお、本実施の形態において、ガラス割り体験装置１は、３種類のガラス片Ａを固定するようになされているが、２種類または４種類以上固定できるようになされたものであってもよい。
【産業上の利用可能性】
【００３８】
住宅建物の販売促進を図る装置として利用できる。
【図面の簡単な説明】
【００３９】
【図１】本発明に係るガラス割り体験装置の全体構成の概略を示す斜視図である。
【図２】（ａ）ないし（ｄ）は、本発明に係るガラス割り体験装置の動作を説明する工程図である。
【符号の説明】
【００４０】
１  ガラス割り体験装置。
【００４１】
１０  ケーシング
２  ガラス固定装置
２１  固定枠（固定部）
３  回収容器
４  人間型ロボット
４２  破壊片
Ａ  ガラス片
【図１】
2010139474.tif 000003
【図２】
2010139474.tif 000004